(57)【要約】【課題】瞬時に且つ的確に作動して動物を確実に捕獲できると共に、構造が簡単で、製作コストが安く、故障も少ない動物捕獲装置を提供すること。【解決手段】箱形ケージ１と、ケージ１の入口６に設けられた落下式扉２と、一端部３ａが扉２に止着され、扉２の上方に設けたシーブ７に掛装される扉吊上用索体３と、一端部４ａがケージ１に止着され、ケージ１内に侵入した動物Ａが引っ掛かるようにシーブ８，９，１０を介して張設される動物引掛用索体４と、ケージの入口が開放するように扉を所定高さ吊り上げた扉吊上用索体３の他端部と緊張した動物引掛用索体４の他端部とを連結した状態で侵入動物Ａが動物引掛用索体４に引っ掛かってその索体４の張力が一定以上になった時両索体３，４の他端部３ｂ，４ｂを互いに切り離して扉を落下させる索体連結手段５と、からなる。【選択図】図１
0003116834.tif 000002
【実用新案登録請求の範囲】
【請求項１】
箱形のケージと、ケージの入口に設けられた落下式扉と、一端部が扉に止着され、扉の上方に設けたシーブに掛装される扉吊上用索体と、一端部がケージに止着され、ケージ内に侵入した動物が引っ掛かるようにシーブを介して張設される動物引掛用索体と、ケージの入口が開放するように扉を所定高さ吊り上げた扉吊上用索体の他端部と緊張した動物引掛用索体の他端部とを連結した状態で侵入動物が動物引掛用索体に引っ掛かってその索体の張力が一定以上になった時両索体の他端部を互いに切り離して扉を落下させる索体連結手段と、からなる動物捕獲装置であって、
前記索体連結手段は、ケージの上部に設けた矩形状の取付枠内に水平杆とこれに交差する竪杆を取り付け、竪杆に連結用リングを嵌め込む一方、連結用棒体の一端部側に前記扉吊上用索体の他端部を止着し、連結用リングに動物引掛用索体の他端部を止着し、而して扉を所定高さ吊り上げた扉吊上用索体の他端部を水平杆にその外側から下向きに回した状態で連結用棒体の一端部を水平杆の内側に当接させて、連結用棒体の他端部側に外向きの回転付勢力を与え、連結用リング内に突入させた連結用棒体の他端部を連結用リングに圧接することによって、両索体の他端部どうしを連結するようにしてなる動物捕獲装置。
【請求項２】
前記ケージの対向する２箇所に入口を設けて、両入口に夫々落下式扉を設けると共に、扉吊上用索体、動物引掛用索体及び索体連結手段を、両入口の対向方向中間部を中心としてその両側に夫々配備してなる請求項１に記載の動物捕獲装置。
【請求項３】
前記竪杆の上端部に横杆を固着してＴ字状体とし、その横杆を矩形状取付枠の上枠にボルト止めし、竪杆の下端部を取付枠の下枠側に設けた嵌合部に嵌合させるようにしてなる請求項１又は２に記載の動物捕獲装置。
【考案の詳細な説明】
【技術分野】
【０００１】
本考案は、イノシシやシカ等の野生の動物を捕獲するための動物捕獲装置に関するものである。
【背景技術】
【０００２】
従来より種々の動物捕獲装置が提案されているが、従来の装置は、構造が複雑で部品点数が多いために、製作コストが高くつき、故障することが多かった。
【考案の開示】
【考案が解決しようとする課題】
【０００３】
本考案は、瞬時にして的確に作動して動物を確実に捕獲できると共に、構造が簡単で、製作コストが安く、故障も少ない動物捕獲装置を提供することを目的とする。
【課題を解決するための手段】
【０００４】
上記課題を解決するための手段を、後述する実施形態の参照符号を付して説明すると、請求項１に係る考案の動物捕獲装置は、箱形のケージ１と、ケージ１の入口６に設けられた落下式扉２と、一端部３ａが扉２に止着され、扉２の上方に設けたシーブ７に掛装される扉吊上用索体３と、一端部４ａがケージ１に止着され、ケージ１内に侵入した動物Ａが引っ掛かるようにシーブ８，９，１０を介して張設される動物引掛用索体４と、ケージの入口が開放するように扉を所定高さ吊り上げた扉吊上用索体３の他端部と緊張した動物引掛用索体４の他端部とを連結した状態で侵入動物Ａが動物引掛用索体４に引っ掛かってその索体４の張力が一定以上になった時両索体３，４の他端部３ｂ，４ｂを互いに切り離して扉を落下させる索体連結手段５と、からなる動物捕獲装置であって、
前記索体連結手段５は、ケージ１の上部に設けた矩形状の取付枠１７内に水平杆１８とこれに交差する竪杆１９を取り付け、竪杆１９に連結用リング２１を嵌め込む一方、連結用棒体２０の一端部側に前記扉吊上用索体３の他端部３ｂを止着し、連結用リング２１に動物引掛用索体４の他端部４ｂを止着し、而して扉２を所定高さ吊り上げた扉吊上用索体３の他端部３ｂを水平杆１８にその外側から下向きに回した状態で連結用棒体２０の一端部２０ａを水平杆１８の内側に当接させて、連結用棒体２０の他端部２０ｂ側に外向きの回転付勢力を与え、連結用リング２１内に突入させた連結用棒体２０の他端部２０ｂを連結用リング２１に圧接することによって、両索体３，４の他端部３ｂ，４ｂどうしを連結するようにしてなることを特徴とする。
【０００５】
請求項２は、請求項１に記載の動物捕獲装置において、前記ケージ１の対向する２箇所に入口６を設けて、両入口６，６に夫々落下式扉２を設けると共に、扉吊上用索体３、動物引掛用索体４及び索体連結手段５を、両入口６，６の対向方向中間部を中心としてその両側に夫々配備してなることを特徴とする。
【０００６】
請求項３は、請求項１又は２に記載の動物捕獲装置において、前記竪杆１９の上端部に横杆２２を固着してＴ字状体２３とし、その横杆２２を矩形状取付枠１７の上枠１７ｂにボルト２８止めし、竪杆１９の下端部を取付枠１７の下枠２３側に設けた嵌合部３０に嵌合させるようにしてなることを特徴とする。
【考案の効果】
【０００７】
上記解決手段による考案の効果を、後述する実施形態の参照符号を付して説明すると、請求項１に係る考案の動物捕獲装置によれば、ケージ内に侵入した動物Ａが動物引掛用索体４に引っ掛かれば、この動物引掛用索体４の張力が、連結用リング２１に対する連結用棒体２０の圧接摩擦力を上回って、直ちに扉２が落下し、動物Ａを確実に捕獲することができる。特に、連結用リング２１を採用しているから、動物引掛用索体４の張力が連結用棒体２０の圧接摩擦力を上回った時点で、連結用リング２１が竪杆１９と連結用棒体２０をガイドとして瞬時にスライド降下し、扉２を迅速且つ的確に落下させることができる。また、この動物捕獲装置によれば、索体連結手段の部品点数が少なく、その構造が極めて簡素であるから、製作が容易で索体連結手段を安価に提供できると共に、操作がし易く、何回も繰り返し使用可能である。
【０００８】
請求項２に係る考案によれば、入口６が２箇所になるから、動物Ａをケージ１に侵入させ易く、それだけ捕獲し易くなる。また、この動物捕獲装置においては、一方の入口６からケージ１内に侵入した動物Ａが一方の動物引掛用索体４に引っ掛かって、一方の入口６の扉２が落下し、その入口を閉じることになり、しかして動物Ａが他方の入口６から逃げようとしても、この動物Ａが他方の入口６へ到るまでに他方の動物引掛用索体４に引っ掛かって、他方の入口６の扉２が落下するから、結局両方の入口６，６が閉じて動物Ａを捕獲することになる。
【０００９】
請求項３に係る考案によれば、竪杆１９に対する連結用リング２１の嵌め込み・取外しが容易となる。
【考案を実施するための最良の形態】
【００１０】
以下に本考案の好適な実施形態を図面に基づいて説明する。図１は本考案に係る動物捕獲装置を示す。この動物捕獲装置は、箱形のケージ１と、このケージ１の前面に開口する入口６に設けられた落下式扉２と、一端部３ａが扉２の上端中央部に止着されて、この扉２の上方に設けたシーブ７に掛装される扉吊上用索体３と、一端部４ａがケージ１に止着され、このケージ１内に侵入した動物Ａの体の一部分が引っ掛かるように、ケージ１に取り付けたシーブ８，９，１０を介して張設される動物引掛用索体４と、前記ケージ１の入口６が開放するように扉２を所定高さ吊り上げた扉吊上用索体３の他端部３ｂと緊張した動物引掛用索体４の他端部４ａとを連結し、この連結状態で侵入動物Ａが動物引掛用索体４に引っ掛かることによってその索体４の張力が一定以上になった時、両索体３，４の他端部３ａ，４ａを互いに切り離して扉２を落下させるための索体連結手段５と、から構成される。
【００１１】
上記構造の動物捕獲装置について更に詳しく説明すれば、ケージ１は、箱形骨組１１の左右両側面及び後面に夫々鉄棒からなる縦横の格子部材ａ，ｂによって面格子１２，１２，１３を形成し、上下両面を開放すると共に、前面を開放して、この前面開放部を入口６としたもので、この入口６に落下式扉２が設けられる。落下式扉２は、入口６の左右両側に配設されたガイド枠１４，１４によって昇降案内されるようになっている。この扉２は、周枠１５内に鉄棒からなる縦横の格子部材ａ，ｂによって面格子１６を形成しており、そして周枠１５の上部中央に扉吊上用索体３の一端部３ａが止着されている。また、ガイド枠１４，１４の上端部をつなぐ上枠２６の中央部にシーブ７が取り付けられる。
【００１２】
索体連結手段５は、箱形骨組１１の上部中央に左右方向に架け渡した梁材２３上の中央部に設けた矩形状の取付枠１７と、この取付枠１７内に設けられる水平杆１８と、この水平杆１８に交差して設けられる竪杆１９と、扉吊上用索体３の他端部３ｂに連結される連結用棒体２０と、動物引掛用索体４に連結されていて、竪杆１９に嵌め入れられる連結用リング２１とから構成される。
【００１３】
矩形状取付枠１７は、図２の(a) から分かるように、アングル材からなる梁材２３上にコ字形材からなる左右の枠材１７ａ，１７ａを立設し、両枠材１７ａ，１７ａの上端部を平板材からなる上枠１７ｂで連結することによって構成されるもので、この取付枠１７内には、上部側に金属丸棒からなる水平杆１８が固定的に取り付けられると共に、この水平杆１８と交差する丸棒材からなる竪杆１９が両枠材１７ａ，１７ａの中央部に取外し自在に取り付けられ、この竪杆１９に金属製の連結用リング２１が嵌め入れられる。
【００１４】
図２及び図３に示すように、竪杆１９には上端部に平板材からなる横杆２２が固着されてＴ字状体２３とされ、このＴ字状体２３の横杆２２は、矩形状取付枠１７の上枠１７ｂにボルト２８・ナット２９によって固定され、竪杆１９の下端部は取付枠１７の下枠を形成する梁材２３に設けたリング材からなる嵌合部３０に嵌合されるようになっている。
【００１５】
しかして、竪杆１９を取り付ける時は、図３の(b) に示すように、Ｔ字状体２３を仮想線図示のように傾斜させた姿勢で竪杆１９の下端部を嵌合部３０に嵌合させた後、横杆２２を取付枠１７内に上枠１７ｂの下面に沿って差し込み、この横間２２に設けたボルト挿通孔（図示せず）から上枠１７ｂに設けてあるボルト挿通孔（図示せず）にボルト２８を通し、ナット２９で締め付けて固定すればよい。また、竪杆１９を外す時は、ボルト２８・ナット２９を緩め、竪杆１９の下端部を嵌合部３０の孔３１に通して若干押し下げた後、Ｔ字状体２３を手前側へ倒しながら、竪杆１９の下端部を嵌合部３０から離脱させればよい。このように竪杆１９を着脱できるから、竪杆１９に対する連結用リング２１の嵌め込み・取外しが容易となる。
【００１６】
連結用棒体２０は、一端部２０ａから他端部２０ｂにかけて徐々に細くなった鉄製又は木製の棒状体からなる。連結用リング２１は例えば鉄製のリングからなるものである。
【００１７】
扉吊上用索体３及び動物引掛用索体４は、夫々ワイヤーからなるもので、一端部３ａが扉２に止着される扉吊上用索体３の他端部３ｂは、図２に示すように、輪っかに形成されていて、この輪っか部分３ｂを、連結用棒体２０の一端部２０ａ側に直径方向に貫通形成された貫通孔２７に挿通させることにより、この連結用棒体２０に止着される。
【００１８】
上記動物引掛用索体４の他端部４ｂは２つに分岐されて分岐端部４ｂ，４ｂを形成し、両分岐端部４ｂ，４ｂは、図２に示すように、竪杆１９に嵌め込まれた連結用リング２１の直径方向両端部に止着される。また動物引掛用索体４の他端部４ｂは、取付枠１７の下枠を形成する梁材２３に設けられた孔３２を貫通して、取付枠１７内に突入し、その分岐端部４ｂ，４ｂが上記のように連結用リング２１に止着されることになる。
【００１９】
また、動物引掛用索体４の一端部４ａは、図１から分かるように、ケージ１の左側面に形成される面格子１２の下端部所要高さ位置に止着されている。この動物引掛用索体４の一端側止着部２５からケージ１の右側面に形成される面格子１２の水平方向対応位置にシーブ８が設けてあって、このシーブ８と上記止着部２５との間に水平に延びる索体部分が動物引掛部４ｃを形成し、しかしてケージ１内に侵入した動物Ａは、この動物引掛部４ｃに引っ掛かるようになっている。また、上記シーブ８から垂直上方に隔たった右側面側面格子１２の上端部位にシーブ９が設けられ、更に前記支持枠１７の真下に位置する梁材２３の中央部下面側にシーブ１０が設けられる。
【００２０】
上記のように一端部３ａを扉２に止着した扉吊上用索体３の他端部３ｂと、一端部４ａをケージに止着し、ケージ１内に侵入した動物Ａが引っ掛かるようにシーブ８〜１０を介して張設した動物引掛用索体４の他端部４ｂとを索体連結手段５によって連結するには、図１〜図３に示すように、扉２を所定高さ吊り上げた扉吊上用索体３の他端部３ｂを取付枠１７内の水平杆１８にその外側から下向きに回した状態で、連結用棒体２０の一端部２０ａを水平杆１８の内側に当接させて、連結用棒体２０の他端部２０ｂ側に外向きの回転付勢力Ｔ（図３参照）を作用させ、この回転付勢力Ｔによって、図２の(b) に示すように連結用リング２１内に突入させた連結用棒体２０の他端部２０ｂを連結用リング２１の内周面部に圧接すると共に、その内周面部と対向する連結用リング２１の内周面部を竪杆１９に圧接し、その圧接摩擦力によって両索体３，４の他端部３ｂ，４ｂどうしを連結することになる。
【００２１】
こうして両索体３，４の他端部３ｂ，４ｂどうしを連結した状態で、動物Ａが動物引掛用索体４に引っ掛かった時に、その索体４の張力が、連結用リング２１に対する竪杆１９及び連結用棒体２０の圧接摩擦力を上回ると、連結用リング２１は、竪杆１９及び連結用棒体２０に沿って滑り落ち、それにより連結用棒体２０は連結用リング２１との連結を解除されて、図２の仮想線図示更には図５の実線図示のように飛び跳ねてしまい、その結果扉吊上用索体３が緩んで、扉２が図４に示すように落下して入口６を閉鎖するようになっている。特に、連結用リング２１を採用しているから、動物引掛用索体４の張力が連結用棒体２０の圧接摩擦力を上回った時点で、連結用リング２１が竪杆１９と連結用棒体２０をガイドとして的確にスライド降下し、扉２を瞬時に落下させることができる。
【００２２】
上記のように構成される動物捕獲装置の使用にあたっては、図１に示すように、ケージ１の入口６が開放するように扉２を所定高さに吊り上げた扉吊上用索体３と、動物Ａが引っ掛かるよう緊張させた動物引掛用索体４との連結端部３ｂ，４ｂどうしを索体連結手段５によって連結する。即ち、図２及び図４に示すように、扉２を所定高さ吊り上げた扉吊上用索体３の他端部３ｂを取付枠１７内の水平杆１８に外側から下向きに回した状態で、連結用棒体２０の一端部２０ａを水平杆１８の内側に当接させて、連結用棒体２０の他端部２０ｂ側に外向きの回転付勢力Ｔを作用させ、この回転付勢力Ｔによって、連結用棒体２０の他端部２０ｂを連結用リング２１の内周面部に圧接すると共に、その内周面部と対向する連結用リング２１の内周面部を竪杆１９に圧接して、両索体３，４の他端部３ｂ，４ｂどうしを連結することによって、仕掛けを行う。この際、図示は省略するが、ケージ１内に張った動物引掛用索体４の動物引掛部４ｃの上方所要部に、動物Ａが好む肉等の餌を吊り下げておく。
【００２３】
しかして、動物Ａが図１に示すようにケージ１に近づき、開放された入口６からケージ１内に侵入して、図４に示すように動物引掛用索体４の動物引掛部４ｃに引っ掛かり、それによって動物引掛用索体４の張力が一定以上になると、索体４の張力が、連結用リング２１に対する竪杆１９及び連結用棒体２０の圧接摩擦力を上回ると、連結用リング２１は、竪杆１９及び連結用棒体２０に沿って的確に滑り落ち、それによって連結用棒体２０は連結用リング２１との連結を解除され、図５に示すように扉２が落下して入口６を閉鎖し、動物Ａを捕獲することができる。
【００２４】
こうして動物Ａを捕獲した後、この動物捕獲装置を再び使用する時は、扉吊上用索体３の他端部３ｂ側を引張して扉２を所定高さまで吊り上げ、この扉吊上用索体３の他端部３ｂを、水平杆１８に外側から下向きに回した状態で、連結用棒体２０の一端部２０ａを水平杆１８の内側に当接させて、連結用棒体２０の他端部２０ｂ側に外向きの回転付勢力Ｔを作用させて、この回転付勢力Ｔにより、連結用棒体２０の他端部２０ｂを連結用リング２１の内周面部に圧接すると共に、その内周面部と対向する連結用リング２１の内周面部を竪杆１９に圧接して、両索体３，４の他端部３ｂ，４ｂどうしを連結するだけの簡単な操作で、仕掛けを行うことができる。
【００２５】
上記のように、この動物捕獲装置は、簡単な操作で仕掛けを行うことができるから、装置の使用に熟練を要せず、誰でも使用することができる。また、装置の構造が簡単であるから、製作こコストが安くつく上に、故障が少なく、長期に亘り、何回も繰り返し使用することができる。また、落下式扉２によって動物Ａを捕獲するため、動物Ａを殺傷することなく生け捕ることができる。
【００２６】
図１〜図５によって説明した実施形態の動物捕獲装置は、箱形捕獲用ケージ１の前面にのみ入口６を開口して、この入口６に落下式扉２を設けたものであるが、箱形捕獲用ケージ１の前面及び後面（あるいは左右両側面でもよい）の２箇所に入口６を設けて、両入口６，６に夫々落下式扉２を設け、しかして図６の(a) に示すように扉吊上用索体３、動物引掛用索体４及び索体連結手段５を、両入口６，６の対向方向中間部を中心としてその両側対称位置に夫々配備するようにしてもよい。図６の(b) は両側に設けられた索体連結手段５，５の連結用棒体２０，２０の配置状態を連結用リング２１の真上から見た要部平面図である。
【００２７】
この場合には、図６の(a) 及び(b) に示すように、一方の扉吊上用索体３、即ち図６の(a) の左側の索体３は、その他端部３ｂを水平杆１８に外側から下向きに回した状態で連結用棒体２０の一端部２０ａを水平杆１８の内側に当接させて、連結用棒体２０の他端部２０ｂ側に外向きの回転付勢力Ｔを作用させ、この外向き回転付勢力Ｔにより、連結用棒体２０の他端部２０ｂを連結用リング２１の内周面部に圧接して、一方側の扉吊上用索体３の他端部３ｂと動物引掛用索体４の他端部４ｂとを連結しており、そしてこれと同時に他方の扉吊上用索体３、即ち図６の(a) の右側の索体３は、その他端部３ｂを水平杆１８に内側から下向きに回した状態で連結用棒体２０の一端部２０ａを水平杆１８の外側に当接させて、連結用棒体２０の他端部２０ｂ側に内向きの回転付勢力Ｔを作用させ、この内向き回転付勢力Ｔによって、連結用棒体２０の他端部２０ｂを、前記一方の扉吊上用索体３に連結された連結用棒体２０と反対側の位置で連結用リング２１の内周面部に圧接し、これにより他方側の扉吊上用索体３の他端部３ｂと動物引掛用索体４の他端部４ｂとを連結しており、この状態を図６の(b) に示している。
【００２８】
上記のように構成される動物捕獲装置にあっては、例えばケージ１の前面側に開口する入口６からケージ１内に侵入した動物Ａが一方の動物引掛用索体４の動物引掛部４ｃに引っ掛かることによって、ケージ１の前面側の扉２が落下してその入口６を閉じることになり、しかして動物Ａがケージ１の後面側に開口する入口６から逃げようとしても、この動物Ａが後面側の入口６へ到るまでに他方の動物引掛用索体４の動物引掛部４ｃに引っ掛かって、前面側の扉２が落下するから、両方の入口６，６が閉じることになって、結局捕獲されることになる。また、この動物捕獲装置によれば、入口６が２箇所になるから、動物Ａをケージ１に侵入させ易く、捕獲し易くなる。
【図面の簡単な説明】
【００２９】
【図１】本考案に係る動物捕獲装置の一実施形態を示す斜視図である。
【図２】(a) は動物捕獲装置の索体連結手段を示す拡大斜視図、(b) は索体連結手段を連結用リングの真上から見た要部平面図である。
【図３】(a) は取付枠及びこれに取り付けられる水平杆及び竪杆を示す正面図、(b)は竪杆の取付け及び取外し方法を説明する側面断面図である。
【図４】動物が動物捕獲装置のケージ内に侵入して動物引掛用索体に引っ掛かる寸前の状態を示す縦断面図である。
【図５】動物が動物引掛用索体に引っ掛かって扉が落下し、入口が閉じた状態を示す縦断面図である。
【図６】(a) はケージの前後両面に入口を設けて、各入口に落下式扉を設けた実施形態を示す縦断面図、(b) は索体連結手段を連結用リングの真上から見た要部平面図である。
【符号の説明】
【００３０】
１                  ケージ
２                  扉
３                  扉吊上用索体
３ａ                扉吊上用索体の一端部
３ｂ                扉吊上用索体の他端部
４                  動物引掛用索体
４ａ                動物引掛用索体の一端部
４ｂ                動物引掛用索体の他端部
５                  索体連結手段
６                  入口
７，８，９，１０    シーブ
１７                取付枠
１８                水平杆
１９                竪杆
２０                連結用棒体
２１                連結用リング
【図１】
0003116834.tif 000003
【図２】
0003116834.tif 000004
【図３】
0003116834.tif 000005
【図４】
0003116834.tif 000006
【図５】
0003116834.tif 000007
【図６】
0003116834.tif 000008